(57)【要約】      （修正有）【課題】熱交換効率を向上させるとともに，構造を簡易なものとし，商業施設ないし家屋等に後付けで簡単に設置することができる温泉水を用いた給湯装置の開発【解決手段】温泉を貯蔵することが可能な温泉貯蔵容器と，前記温泉貯蔵容器内部に設置される水道水貯蔵容器とを備え，前記温泉貯蔵容器は，温泉を汲み入れるための温泉水汲み入れ口と温泉水を給湯するための温泉給湯口を備え，前記水道水貯蔵容器は，水を汲み入れるための水汲み入れ口と温められた水を給湯するための水道水給湯口を備えることを特徴とする温泉水を用いた温泉水を用いた加温給湯装置【選択図】図１
2015038398.tif 000002
【特許請求の範囲】
【請求項１】
温泉を貯蔵することが可能な温泉貯蔵容器と，前記温泉貯蔵容器内部に設置される水道水貯蔵容器とを備え，
前記温泉貯蔵容器は，温泉を汲み入れるための温泉水汲み入れ口と温泉水を給湯するための温泉給湯口を備え，
前記水道水貯蔵容器は，水を汲み入れるための水汲み入れ口と温められた水を給湯するための水道水給湯口を備えることを特徴とする温泉水を用いた温泉水を用いた加温給湯装置
【請求項２】
前記水道水貯蔵容器が，温泉貯蔵容器に内包されることを特徴とする請求項１に記載の温泉水を用いた加温給湯装置
【請求項３】
前記温泉貯蔵容器において，前記温泉汲み入れ口がその上部に，温泉給湯口が下部に備えられることを特徴とする請求項１ないし２に記載の温泉水を用いた加温給湯装置
【請求項４】
前記温泉貯蔵容器が，ボールタップを備えることを特徴とする請求項１ないし３に記載の温泉水を用いた加温給湯装置
【請求項５】
前記水道水貯蔵容器が，円柱用の形状であることを特徴とする請求項１ないし４に記載の温泉水を用いた加温給湯装置
【請求項６】
前記水道水貯蔵容器の容積が，温泉貯蔵容器１に対し，0.8以下であることを特徴とする請求項１ないし５に記載の温泉水を用いた加温給湯装置
【請求項７】
前記水道水貯蔵容器の容積が，温泉貯蔵容器１に対し，0.35から0.45であることを特徴とする請求項１ないし５に記載の温泉水を用いた加温装置
【請求項８】
請求項１ないし７に記載の加温給湯装置を用いて，温泉水を用いて水の加温を行うとともに温泉水を冷やし，加温した水および温泉が給湯されることを特徴とする加温給湯施設
【発明の詳細な説明】
【技術分野】
【０００１】
本発明は，温泉水を用いた加温給湯装置に関する。
【背景技術】
【０００２】
温泉は，日本が誇る天然資源の一つであり，都市部や地方を問わず，全国各地に28,000ヶ所を超える泉源がある。
【０００３】
温泉の多くは入浴を目的に利用されており，宿泊施設や医療施設など，種々の施設で温泉が利用されている。泉源から直接汲み出される温泉は，そのままでは入浴に適さないほどの熱（温泉熱）を有していることが多い。このことから，汲み出された温泉を入浴に適した温度にする必要がある。しかしながら，汲み出された温泉が入浴適温になるまでの間の熱は，ほとんど利用されていないのが現状である。施設によっては，温泉を水で薄めるなどがされ，温泉熱が，かえって経済的コストとなっている例もある。
【０００４】
しかしながら，温泉熱は，原子力や石油，石炭等を用いないため，放射性廃棄物や二酸化炭素を生じない，再生可能なクリーンなエネルギーである。加えて，日本全国に泉源が散らばっていることから，汎用性も高い。これらの理由から，温泉熱は，エネルギーとして非常に有益性が高いといえる。
このように，温泉熱は，エネルギーとして非常に有益性が高いにもかかわらず，十分に活用されているとは言えないのが現状である。この温泉熱を有効利用する技術として，例えば，温泉を用いた熱交換に関する技術が開示されている（特許文献１）。
【先行技術文献】
【特許文献】
【０００５】
【特許文献１】実用新案登録第３１２６８３５号
【発明の開示】
【発明が解決しようとする課題】
【０００６】
特許文献１には，温泉水を用いた熱交換システムに関する技術が開示されている。本件技術は，温泉水を薄めることなく，熱交換器を用いて温泉水の温度を下げ，これを湯船に供給するものである。しかし，本件技術は，熱交換器において循環冷却水を用いるものであり，必ずしも，熱交換効率に優れたものではない。加えて，構造としても，複雑なものとなっている。
本件技術に見られるように，従来の温泉熱を利用した技術は，熱交換効率ないし構造の複雑さに課題があり，これらの課題が，温泉熱を有効利用する技術の普及の足かせとなっていたと発明者は考えた。また，発明者は，これらの課題を解決することに加え，温泉施設等の比較的大きな商業施設のみならず，通常の一般家庭においても温泉熱を有効利用することが可能になる温泉水を用いた給湯装置を開発することを考えた。現在，温泉熱を利用した給湯装置であって，一般家庭に普及しているものは皆無といえる。
【０００７】
上記事情を背景として，本発明では，温泉熱を有効に活用するための技術，すなわち，熱交換効率を向上させるとともに，構造を簡易なものとし，商業施設ないし家屋等に後付けで簡単に設置することができる温泉水を用いた給湯装置の開発を課題とする。
【課題を解決するための手段】
【０００８】
発明者は，鋭意研究の結果，温泉を貯蔵することが可能な温泉貯蔵容器，および温泉貯蔵容器内部に設置される水道水貯蔵容器，これら主要な部材２つを組み合わせ，比較的簡易な構造とすることにより，温泉水の熱を下げ温泉給湯を可能とするとともに，その温泉熱を，水道水を温めお湯として有効利用しうる，温泉水を用いた給湯装置を発明した。
【０００９】
本発明は，以下の構成からなる。
【００１０】
本発明の第一の構成は，温泉を貯蔵することが可能な温泉貯蔵容器と，前記温泉貯蔵容器内部に設置される水道水貯蔵容器とを備え，前記温泉貯蔵容器は，温泉を汲み入れるための温泉水汲み入れ口と温泉水を給湯するための温泉給湯口を備え，前記水道水貯蔵容器は，水を汲み入れるための水汲み入れ口と温められた水を給湯するための水道水給湯口を備えることを特徴とする温泉水を用いた加温給湯装置である。
【００１１】
本発明の第二の構成は，前記水道水貯蔵容器が，温泉貯蔵容器に内包されることを特徴とする第一の構成に記載の温泉水を用いた加温給湯装置である。
【００１２】
本発明の第三の構成は，前記温泉貯蔵容器において，前記温泉汲み入れ口がその上部に，温泉給湯口が下部に備えられることを特徴とする第一ないし第二の構成に記載の温泉水を用いた加温給湯装置である。
本発明の第四の構成は，前記温泉貯蔵容器が，ボールタップを備えることを特徴とする第一ないし第三の構成に記載の温泉水を用いた加温給湯装置である。
【００１３】
本発明の第五の構成は，前記水道水貯蔵容器が，円柱用の形状であることを特徴とする第一ないし第四の構成に記載の温泉水を用いた加温給湯装置である。
【００１４】
本発明の第六の構成は，前記水道水貯蔵容器の容積が，温泉貯蔵容器１に対し，0.8以下であることを特徴とする第一ないし第五の構成に記載の温泉水を用いた加温給湯装置である。
本発明の第七の構成は，前記水道水貯蔵容器の容積が，温泉貯蔵容器１に対し，0.35から0.45であることを特徴とする第一ないし第五の構成に記載の温泉水を用いた加温装置である。
【００１５】
本発明の第八の構成は，第一ないし第七の構成に記載の加温給湯装置を用いて，温泉水を用いて水の加温を行うとともに温泉水を冷やし，加温した水および温泉が給湯されることを特徴とする加温給湯施設である。
【発明の効果】
【００１６】
本発明により，熱交換効率を向上させるとともに，構造を簡易なものとし，商業施設ないし家屋等に後付けで簡単に設置することができる温泉水を用いた給湯装置の提供が可能となった。本発明により，商業施設のみならず，一般家庭にも温泉水を用いた給湯装置の提供が可能となり，温泉熱の本格的な普及・活用が期待できる。
【図面の簡単な説明】
【００１７】
【図１】本発明の温泉水を用いた加温給湯装置の典型例を示した図
【図２】本発明の温泉水を用いた加温給湯装置のその他の例を示した図
【発明を実施するための形態】
【００１８】
以下，本発明の温泉水を用いた給湯装置について，図面を例にとり説明を行うが，当然のことながら，本発明を以下の記載に限定して解釈すべきでないことはいうまでもない。
【００１９】
＜Ｉ．給湯装置の概要＞
１．本発明の温泉水を用いた給湯装置は，温泉貯蔵容器と水道水貯蔵容器を必須の構成とし，水道水貯蔵容器は，温泉貯蔵容器の内部に設置される。
(1)  水道水貯蔵容器については，図１の典型例に示すとおり，温泉貯蔵容器内に内包されることが好ましい。これにより，温泉熱が効率よく水道水貯蔵容器に伝達するという効果を有する。
(2)  また，水道水貯蔵容器について，熱伝導率や設置スペース等の種々の観点から，水道水貯蔵容器の一部が，温泉貯蔵容器外に出る構成とすることも可能である（図２）。
２．本発明の加温給湯装置については，使用の際，温泉水に接する。温泉水は高温であり，腐食性を有するため，本発明の給湯装置を構成する素材については，耐熱性および対腐食性を備えた素材であることが必要である。このような素材として，例えば，ステンレスが挙げられる。
３．以下，個別の構成について，詳述する。
【００２０】
＜ＩＩ．温泉貯蔵容器＞
１．温泉貯蔵容器は，温泉水を貯蔵することにより，内部に備えられた水道水貯蔵容器内に貯蔵された水道水を加温する役割を有する。そのため，温泉貯蔵容器は，保温性の高い素材であることが必要である。
２．また，温泉貯蔵容器は，熱を水道水に与えることにより入浴適温となった温泉水を，給湯する役割を果たす。
３．温泉貯蔵容器は，これらの役割を果たす限り，特に限定する必要はなく，種々の構成・形状のものを採用することができる。
(1)  温泉貯蔵容器の構成としては，温泉水を汲み入れる温泉水汲み入れ口，及び入浴適温となった温泉水を給湯する温泉給湯口を必須の構成とするが，その他の構成を備えてもよい。例えば，用いられる温泉水は，その汲み入れ様式により，圧がかかって供給される様式や，ずっと垂れ流される様式などがある。この場合，様式に応じて，圧がかかって供給される場合はボールタップを備えるなどすることができるし，垂れ流しの場合は温泉水を任意に廃棄するための温泉廃棄口を備えるなどすることができる。
(2)  温泉貯蔵容器の形状としては，例えば，図１等に示すような，円柱様のタンク形状のものとすればよい。
【００２１】
４．温泉貯蔵容器の大きさについては，設置する施設が利用する温泉水の量や設置スペース，水道水貯蔵容器容量など種々の観点を考慮し，設定することが可能である。温泉貯蔵容器の一例として，一般家庭を考慮すると，５００から１０００Ｌの容量とすればよい。
【００２２】
５．図１を例にとり説明すると，円柱様のタンク形状である温泉貯蔵容器１は，温泉汲み入れ口１１と温泉給湯口１２を備えている。
(1)  温泉汲み入れ口１１には，温泉水汲み入れ配管が設置され，さらにボールタップ１３が備えられていることにより，温泉水が一定量，温泉貯蔵容器１１に貯蔵される構成となっている。
(2)  また，温泉給湯配管（不図示）が，温泉給湯口１２に設置されており，入浴適温となった温泉水を，ここから給湯することが可能である。温泉給湯配管は，施設や家屋等の蛇口と連結しており，例えば，お風呂の温泉供給用蛇口をひねることにより，温泉水が供給される。
(3)  温泉貯蔵容器１に示すように，温泉汲み入れ口１１は温泉貯蔵容器１の上部に，温泉給湯口１２は温泉貯蔵容器１の下部に設置することが好ましい。これにより，ボールタップ１３を備えた構成とすることが可能となり，かつ，重力に従って温泉水が給湯されていくことにより，電気などの動力を有する機構等を用いることなく，本発明の加温給湯装置を構成することが可能となる。結果として，本発明の給湯装置の製造コストならびに維持管理コストを削減できる効果を有する。
【００２３】
＜ＩＩＩ．水道水貯蔵容器＞
１．水道水貯蔵容器は，水道水を貯蔵するとともに，温泉貯蔵容器に貯蔵された温泉水から熱を受ける役割を有する。そのため，水道水貯蔵容器は，熱伝導性の高い素材であることが必要である。
２．また，水道水貯蔵容器は，加温された水道水を給湯する役割を果たす。
３．水道水貯蔵容器は，これらの役割を果たす限り，特に限定する必要はなく，種々の構成・形状のものを採用することができる。
(1)  水道水貯蔵容器の構成としては，水道水を汲み入れるための水道水汲み入れ口，及び加温された水道水を給湯する水道水給湯口を必須の構成とするが，その他の構成を備えてもよい。
(2)  水道水貯蔵容器の形状としては，例えば，図１や図２に示すような，円柱様のタンク形状のものとすればよい。
【００２４】
４．水道水貯蔵容器の大きさについては，設置する施設が利用する温水の量や設置スペース，温泉貯蔵容器容量，汲み出される温泉水の温度など種々の観点を考慮し，設定することが可能である。水道水貯蔵容器の例について，一般家庭を考慮すると，例えば，５０から１５０Ｌの容量とすればよい。
(1)  水道水貯蔵容器の容量については，温泉貯蔵容器の容量を１とすると，０．８以下とすることが好ましい。これにより，水道水貯蔵容器の水道水に対して，温泉からの十分な熱供給が可能となり，加温給湯装置の加温効率を向上させる効果を有する。
(2)  水道水貯蔵容器の容量についてさらに好ましくは，温泉貯蔵容器の容量を１とすると，０．３５から０．４５とすることができる。これは，用いられる貯蔵温泉水の容量を８，貯蔵水道水の容量を２とした場合，加温効率と水道水の貯蔵量（供給量）のバランスが良くなり，加温給湯装置の性能を最大限に発揮しうるという効果に基づくものである。
【００２５】
５．図１を例にとり説明すると，円柱様のタンク形状である水道水貯蔵容器２は，水道水汲み入れ口２１と水道水給湯口２２を備えている。
(1)  水道水汲み入れ口２１には，水道水汲み入れ配管が設置されている。この水道水汲み入れ配管は，上水道に連結されている。これにより，上水道の水圧により，水道水が水道水貯蔵容器２に供給されることとなり，電気などの動力を必要する機構等を必要としない装置の構成が可能となる。結果として，本発明の加温給湯装置を簡便に設置することが可能となり，設置コストおよび維持コストを低減できる効果を有する。
(2)  また，水道水給湯配管が，水道水給湯口２２に設置されており，加温された水道水を施設等に給湯することが可能である。水道水給湯配管は，施設や家屋等の蛇口と連結しており，例えば，台所の水道水供給用蛇口をひねることにより，加温された水道水が供給される。
【００２６】
ここまで，本発明の温泉水を用いた加温給湯装置について説明を行ってきたが，本発明の趣旨を損なわない限り，本発明において，温泉水以外の熱水を用いることを完全に排除するものではない。
本発明は，熱交換効率を向上させるとともに，構造を簡易なものとし，商業施設ないし家屋等に後付けで簡単に設置することができる温泉水を用いた給湯装置の開発を趣旨とするものではあるが，温泉水以外の熱水，例えば，工場から出る熱排水なども本趣旨を考慮すると，有効活用しうるものであり，本発明において用いることができるものといえる。この場合，冷却された熱水の給湯を行うことはなく，熱水排水口を設けて，適宜，熱水を廃棄できるようにすれば，本発明の趣旨に沿って，加温給湯装置を用いることができる。
【符号の説明】
【００２７】
１…温泉水貯蔵容器
１１…温泉水汲み入れ口，１２…温泉水給湯口，１３…ボールタップ
２…水道水貯蔵容器
２１…水道水汲み入れ口，２２…水道水給湯口
【図１】
2015038398.tif 000003
【図２】
2015038398.tif 000004